(57)【要約】【課題】飲み物等の出し入れ時に支障が起きないようにすると共に、外から庫内への熱浸入、庫内から外への冷気の逃げを最小に抑える。【解決手段】冷蔵庫本体３に設けられた開閉扉７に、ドアポケット９と前記ドアポケット９の外側で前記開閉扉７の全閉時に庫内開口周縁１９と弾接し合う全周にわたって設けられたシール部材１３と、前記シール部材１３の内側全周にわたって設けられ前記庫内開口周縁１９へ続く庫内内周壁面１９ａに沿って空気層２７を作る庫内奥へ向かって突出したスロート部１１とを設ける。  前記スロート部１１には、前記スロート部１１又はドアポケット９に着脱自在に結合された延長スロート部２７により庫内奥へ向かって突出量が延長されたスロート部延長領域Ｄを設けて空気層２３の拡大を図る。【選択図】図１
2010230207.tif 000002
【特許請求の範囲】
【請求項１】
冷蔵庫本体に設けられた開閉扉に、ドアポケットと前記ドアポケットの外側で前記開閉扉の全閉時に庫内開口周縁と弾接し合う全周にわたって設けられたシール部材と、前記シール部材の内側全周にわたって設けられ前記庫内開口周縁へ続く庫内内周壁面に沿って空気層を作る庫内奥へ向かって突出したスロート部とを有し、
前記スロート部は、前記スロート部又はドアポケットに着脱自在に結合された延長スロート部により庫内奥へ向かって突出量が延長されたスロート部延長領域を備えていることを特徴とする冷蔵庫。
【請求項２】
前記延長スロート部は、スロート部に対して起立した作動姿勢と倒れた後退姿勢とに回動自在に結合されていることを特徴とする請求項１記載の冷蔵庫。
【請求項３】
前記延長スロート部は、庫内内周壁面と弾接し合う複数のシール片を有していることを特徴とする請求項１記載の冷蔵庫。
【発明の詳細な説明】
【技術分野】
【０００１】
本発明は開閉可能な開閉扉を備えた冷蔵庫に関する。
【背景技術】
【０００２】
一般に冷蔵庫は開閉式の開閉扉と引き出し式の引き出し扉を備えている。
【０００３】
開閉扉はヒンジを支点として開閉し、全閉時には庫内開口周縁と弾接し合うシール部材によって全周にわたりシールされる（特許文献１参照）。
【０００４】
シール部材は、外から庫内への外気の熱浸入及び庫内から外への冷気の逃げを防ぐために設けられているものであるが、シール機能をより向上させるために前記シール部材の内側全周にわたってスロート部が設けられた手段が公知となっている。
【０００５】
スロート部はその外にドアポケットを取り付けるための取り付け壁としての役割をはたしており、既に製品化されている。
【０００６】
図８はその一部分を示した構造説明図を示したものである。即ち、開閉扉１０１には庫内開口周縁１０３と弾接し合うシール部材１０５と、そのシール部材１０５の内側で庫内奥、図面上方へ向かって突出する連続したスロート部１０７が全周にわたって設けられ、そのスロート部１０７によって前記庫内開口周縁１０３へ続く庫内内周壁面１０９に沿って空気層１１１が作られる構造となっている。
【先行技術文献】
【特許文献】
【０００７】
【特許文献１】特開２００５−２０７６８９号公報
【発明の概要】
【発明が解決しようとする課題】
【０００８】
スロート部１０７によって作られる空気層１１１は断熱遮断層として働らくため、スロート部１０７の突出量を大きくするほど空気層１１１も拡大し、外からの熱の浸入、あるいは、庫内からの外への冷気の逃げを小さく抑えることができる反面、空気層１１１を作るスロート部１０７は開閉扉１０１の全周にわたって立上がる立上り壁となる。立上り壁は、開閉扉１０１を開けてドアポケット１０８から飲み物等を出し入れする時の障害壁となる問題をかかえる。
【０００９】
この場合、開閉扉１０１を一杯に開けて正面から出し入れする時にはさほど問題にはならないが、例えば、鎖線で示す如く開閉扉１０１を若干開いてドアポケット１０８から出し入れする時に顕著となる。
【００１０】
このために、スロート部１０７は出し入れし易い点を考慮に入れた設計となっており、熱の遮断を若干犠牲にした低い突出量に設定されている。
【００１１】
特に、近年は地球環境の面から、ＣＯ2の排出につながるエネルギーの消費を抑え、少しでも庫内の熱を逃がさないようにした効率のよい庫内のシール構造が求められているのが現状となっている。
【００１２】
そこで、本発明にあってはスロート部の工夫によって開閉扉を開けて出し入れする時にその出し入れに支障が起きないようにすると共に外から庫内への熱の浸入、庫内から外への冷気の逃げを小さく抑えることができるようにした冷蔵庫を提供することを目的とする。
【課題を解決するための手段】
【００１３】
前記目的を達成するために、本発明にあっては、冷蔵庫本体に設けられた開閉扉に、ドアポケットと前記ドアポケットの外側で前記開閉扉の全閉時に庫内開口周縁と弾接し合う全周にわたって設けられたシール部材と、前記シール部材の内側全周にわたって設けられた前記庫内開口周縁へ続く庫内内周壁面に沿って空気層を作る庫内奥へ向かって突出したスロート部とを有し、
前記スロート部は、前記スロート部又はドアポケットに着脱自在に結合された延長スロート部により庫内奥へ向かって突出量が延長されたスロート部延長領域を備えていることを特徴とする。
【００１４】
本発明を実施するにあたって、第１に前記延長スロート部を、スロート部に対して起立した作動姿勢と倒れた後退姿勢とに回動自在に結合することで、延長スロート部が障害壁となることなく出し入れが行なえるようにすることが望ましい。
【００１５】
第２に前記延長スロート部に、庫内内壁面と弾接し合う複数のシール片を設けるようにすることで、延長スロート部による空気層の拡大に加えて、シール片による空気層を密閉遮断した二重の遮断構造が得られるようにすることが望ましい。
【発明の効果】
【００１６】
本発明によれば、シール部材によるシール作用に加えて、スロート部延長領域によって空気層の拡大を図ることができるため、外から庫内への熱の浸入及び庫内から外への冷気の逃げを最小に抑えることができる。
【００１７】
また、使用時において出し入れ時に邪魔になるなと思われる場合にあっては、その場所の延長スロート部をユーザが取り外すことで、スロート部を確保した状態で従来と同様に支障のない出し入れを行なうことができる。
【００１８】
また、延長スロート部はドアポケット、スロート部に対して取り外し可能となるため、例えば、延長スロート部を外したドアポケットは従来同様に取り外せるようになり、庫内掃除に何等支障をおよぼすことなく行なえるようになる。
【図面の簡単な説明】
【００１９】
【図１】本発明にかかる開閉扉のスロート部に延長スロート部を結合した概要切断断面図。
【図２】本発明にかかる冷蔵室の一部分を切欠いて開閉扉を示した冷蔵庫本体の概要側面図。
【図３】スロート部に対する延長スロート部の取り付け状態の変形例を示した概要説明図。
【図４】固定タイプに対して回動タイプに形成された延長スロート部の結合状態を示した概要説明図。
【図５】開閉扉のドアポケットに延長スロート部を結合した概要説明図。
【図６】ドアポケットに対する延長スロート部の結合状態を示した概要説明図。
【図７】ドアポケットの底部に延長スロート部を設けた要部の概要説明図。
【図８】従来例を示したスロート部の概要説明図。
【発明を実施するための形態】
【００２０】
以下、図１乃至図７の図面に基づき本発明の実施形態について具体的に説明する。
【００２１】
図２は本発明にかかる冷蔵庫の冷蔵室を切断して示した概要切断説明図を示している。
【００２２】
冷蔵庫１の冷蔵庫本体３には冷蔵室５の外に野菜室、冷凍室（いずれも図示していない）を有し、前記冷蔵室５の前方はヒンジを支点として開閉する開閉扉７となっている。
【００２３】
開閉扉７には、上段から下段にわたって設けられた複数のドアポケット９と、図１に示す如くドアポケット９の外側全周にわたって設けられたスロート部１１と、スロート部１１の外側全周にわたって設けられたシール部材１３とを有している。
【００２４】
シール部材１３は開閉扉７に設けられた取り付け凹部１５にシール部材１３の取付部１３ａが嵌合することで取り付けられている。シール部材１３のシール面１７は開閉扉７の全閉時に庫内開口周縁１９と弾接し合うことで庫内開口周縁１９のシール状態を確保する。この場合、磁石２１をシール部材１３のシール面１７内側に設けることで、磁石２１の磁力を利用してシール面１７の確実な密着シール状態が得られるようにすることが望ましい。
【００２５】
スロート部１１は、庫内奥（図面上方）へ向かって突出した形状となっており、前記庫内開口周縁１９へ続く庫内内周壁面１９ａに沿って空気層２３を作る機能を有する。その外に、ドアポケット９を取り付けるための取付壁としても機能し、図３に示す如く内側にドアポケット取付部２５が設けられ、その取付部２５を介してドアポケット９が取り付けられている。
【００２６】
スロート部１１は、別体に作られた延長スロート部２７により庫内奥（図１上方）へ向かって突出量ｄが延長されたスロート部延長領域Ｄを備えている。
【００２７】
スロート部延長領域Ｄは、開閉扉７を一杯に開いて内側から見た時に上下，左右の内、出し入れする時に邪魔にならない庫内側となる左側領域、最下位のドアポケット９の下位となる下側領域のスロート部延長領域Ｄは大きく設定されている。タマゴ等を出し入れする上側及び右側となる外側領域のスロート部延長領域Ｄは小さく設定され、出し入れに邪魔にならない場所については大きく、使用頻度の高い場所については小さく設定された設計となっている。
【００２８】
延長スロート部２７は、スロート部１１及びドアポケット９に対して取り外すことができるよう着脱自在に結合する固定タイプと回動する回動タイプがあり、図１は固定タイプ、図４は回動タイプをそれぞれ示している。固定タイプはスロート部１１及びドアポケット９に直接結合する手段があり、図１はスロート部１１に結合する手段を示している。
【００２９】
延長スロート部２７は内側に庫内内周壁面１９ａと弾接し合う複数のシール片２９を有し、延長スロート部２７の結合底面には係合凹部３１が、スロート部１１の結合上面には結合凸部３３がそれぞれ設けられ、係合凹部３１と係合凸部３３の嵌め合いによって結合される手段となっている。
【００３０】
この場合、係合凹部３１をスロート部１１側に、係合凸部３３を延長スロート部２７側にそれぞれ設ける結合手段としてもよい。また、結合部位はスロート部１１の上面に特定されず、例えば、図３に示す如くスロート部１１の内壁となる内側に設けられたドアポケット取付部２５と嵌合し合う嵌合凸部３５を延長スロート部２７に設け、スロート部１１の内壁面に直接結合する手段であってもよい。
【００３１】
シール片２９は、庫内内周壁面１９ａと弾接し合うことで前記シール部材１３とにより空気層２３を密閉遮断し、高い断熱作用が働らくようになっている。
【００３２】
図４は延長スロート部２７の回動タイプを示している。
【００３３】
延長スロート部２７は回動部３７と固定部３９とからなり、回動部３５は常時起立した作動姿勢（実線）にあって、触れた時に触れた方向へ倒れる後退姿勢（鎖線）とに回動可能となっている。
【００３４】
具体的には、ヒンジピン４１を介して回動部３５が固定部３９に対して回動自在に支持され、固定部３９はビス４１によってスロート部１１の結合上面に結合支持されている。
【００３５】
ヒンジピン４１には矢印イとロ方向へ付勢する同一ばね圧の付勢ばね４３が一方と他方の端部にそれぞれ設けられ、回動部３５は各同一のばね圧によって作動姿勢（実線）の状態にバランスされる構造となっている。
【００３６】
したがって、延長スロート部２７は、拡大した空気層２３の確保と同時に、出し入れ時に接触するとその接触方向イ、ロへ回動するため支障のない出し入れが可能となり、出し入れ頻度の高い場所に適している。
【００３７】
一方、ドアポケット９に延長スロート部２７を結合する固定タイプにあっては、図５と図６に示す如くドアポケット９の側壁にスライド凹部嵌合溝４５が、そのスライド凹部嵌合溝４５と嵌合し合うスライド凸部嵌合部４７が延長スロート部２７にそれぞれ設けられた構造となっている。
【００３８】
したがって、スライド凹部嵌合溝４５にスライド凸部嵌合部４７を位置合せして矢印ハの方向へ押し込むことで結合することが可能となっている。
【００３９】
この場合、延長スロート部２７を例えば、図７に示す如くドアポケット９の底部下方に設けるようにする時には、ドアポケット９の底部下方のスロート部１１に、庫内を上下に仕切る仕切板５１と弾接し合うシール片２９を備えた延長スロート部２７を図１と同様に着脱自在に設けてもよい。あるいは、図示していないがドアポケット９に延長スロート部２７を一体に取り付けた一体形状とし、ドアポケット９の取り外しと一緒に延長スロート部２７の取り外しが同時に行なえる構造としてもよい。
【００４０】
このように構成された開閉扉７によれば、延長スロート部２７によって空気層２３の拡大を図れるようになるため、外から庫内への熱の浸入及び庫内から外への冷気の逃げを最小に抑えられる。
【００４１】
この効果は実験でも確認できた。
【００４２】
即ち、ボックスモデルでのリバースヒートリケージテスト結果でもスロート幅５ｍｍの時、
【表１】
2010230207.tif 000003
【００４３】
の効果が得られた。
【００４４】
なお、リバースヒートリケージテストとは、一定温度の低温室内において庫内を＋温度にコントロールする装置を組み込み、そのエネルギー量を測定したもので、被測定物の断熱特性を示す。
【００４５】
また、ボックスモデルではなく実際の冷蔵庫でのコントロール運転でも、スロート長さ２０ｍｍ〜４０ｍｍとした時、０．５％の入力値の削減効果が認められた。
【００４６】
なお、コントロール運転の入力とは、冷蔵庫を一定温度に設定し、安定した状態での総合入力量を測定しているもので、実消費電気量に比例している。
【００４７】
一方、出し入れ時に邪魔になると思われる場所にあっては、その場所の延長スロート部２７をユーザが取り外すことで従来と同様に低いスロート部１１が得られるようになり、支障のない出し入れが行なえるようになる。
【００４８】
また、ドアポケット９に結合された延長スロート部２７は取り外すことで、庫内掃除を行なう時に何等支障なくドアポケット９の取り外しと掃除が容易に行なえる。
【符号の説明】
【００４９】
１…冷蔵庫本体
５…冷蔵室
７…開閉扉
９…ドアポケット
１１…スロート部
１３…シール部材
１９…庫内開口周縁
１９ａ…庫内内周壁面
２３…空気層
２７…延長スロート部
２９…シール片
３１…係合凹部
３３…係合凸部
Ｄ…スロート部延長領域
【図１】
2010230207.tif 000004
【図２】
2010230207.tif 000005
【図３】
2010230207.tif 000006
【図４】
2010230207.tif 000007
【図５】
2010230207.tif 000008
【図６】
2010230207.tif 000009
【図７】
2010230207.tif 000010
【図８】
2010230207.tif 000011